(57)【要約】【課題】１つのノズルを用いて、異なる大きさの円筒穴を清掃する。【解決手段】ノズル３０は、柔軟性を有するチューブで構成され、円筒穴に挿入されて円筒穴の内側表面へ空気を吹き付ける。回転パイプ２５は、円筒穴の深さ方向に回転軸を有し、ノズル３０が挿入され、ノズル３０から円筒穴の内側表面へ吹き付けた空気の反作用でノズル３０と共に回転する。保持金具４０は、ノズル３０の先端３０ａを、回転軸から所定の距離に、かつ円筒穴の内側表面に対して所定の角度に保持する。保持金具４０により、円筒穴の大きさに応じて、ノズル３０の先端３０ａの回転軸からの距離を変更し、円筒穴の内側表面の近傍から円筒穴の内側表面へ所定の角度で斜めに空気を吹き付ける。【選択図】図１
2007196236.tif 000002
【特許請求の範囲】
【請求項１】
柔軟性を有するチューブで構成され、円筒穴に挿入されて円筒穴の内側表面へ空気を吹き付けるノズルと、
円筒穴の深さ方向に回転軸を有し、前記ノズルが挿入され、前記ノズルから円筒穴の内側表面へ吹き付けた空気の反作用で前記ノズルと共に回転する回転手段と、
前記ノズルの先端を、前記回転軸から所定の距離に、かつ円筒穴の内側表面に対して所定の角度に保持する保持手段と、
前記ノズルを円筒穴の深さ方向に移動させる移動手段と、
前記ノズルへ供給される空気の流量を制御する制御手段とを備え、
前記保持手段により、円筒穴の大きさに応じて、前記ノズルの先端の前記回転軸からの距離を変更し、円筒穴の内側表面の近傍から円筒穴の内側表面へ所定の角度で斜めに空気を吹き付けることを特徴とするエアブロワ。
【請求項２】
前記保持手段に、前記ノズルの先端の前記回転軸からの距離を調節するための目盛を設けることを特徴とする請求項１に記載のエアブロワ。
【請求項３】
請求項１又は請求項２に記載のエアブロワを用いて、円筒穴の内側表面をエアブローすることを特徴とする円筒穴の内側表面の清掃方法。
【発明の詳細な説明】
【技術分野】
【０００１】
本発明は、例えば自動車用エンジンのシリンダブロックや自動車の走行系部品等に設けられた円筒穴の内側表面を清掃するエアブロワ、及びそれを用いた円筒穴の内側表面の清掃方法に係り、特に様々な大きさの円筒穴の内側表面を清掃するのに好適なエアブロワ、及びそれを用いた円筒穴の内側表面の清掃方法に関する。
【背景技術】
【０００２】
自動車用エンジンのシリンダブロックや自動車の走行系部品の多くは、円筒穴を有し、鋳造によって製造され、製造後に円筒穴の内側表面に鋳巣、傷等の欠陥がないかどうかの検査が行われる。この検査を行う前には、円筒穴の内側表面を洗浄液で洗浄した後、エアブローを行って洗浄液及び塵埃を除去するのが望ましい。
【０００３】
従来、シリンダブロックのボア等の円筒穴の内側表面をエアブローする場合、空気を均一に吹き付けるために、エアブロワのノズルの内部にディフレクターやベーン等を設け、ノズルの先端から空気を円錐状又は釣鐘状に拡散させてエアブローを行っていた。空気を拡散させるため、空気の圧力が低下し、また大きな空気の流量が必要であった。
【０００４】
これに対し、特許文献１には、ノズルから吹き付けた空気の反作用によりノズルを回転させて、円筒穴の内側表面のエアブローを行う技術が開示されている。特許文献１に記載された技術によれば、少ない空気の流量で、高い圧力の空気を円筒穴の内側表面へ均一に吹き付けることができるので、円筒穴の内側表面の水滴や塵埃等を短時間で効果的に除去することができる。
【特許文献１】特開２００５−４６７２５号公報
【発明の開示】
【発明が解決しようとする課題】
【０００５】
特許文献１に記載の技術において、ノズルは、円筒穴の内側表面の近傍から空気を吹き付ける様に、円筒穴の大きさに合わせて製作される。従って、異なる大きさの円筒穴を清掃する場合、円筒穴の大きさに合った複数のノズルを用意し、円筒穴の大きさに応じてノズルを交換する必要があった。
【０００６】
本発明の課題は、１つのノズルを用いて、異なる大きさの円筒穴を清掃することである。また、本発明の課題は、ノズルを交換する手間を省き、簡単な調整で異なる大きさの円筒穴の清掃に対応することである。
【課題を解決するための手段】
【０００７】
本発明のエアブロワは、柔軟性を有するチューブで構成され、円筒穴に挿入されて円筒穴の内側表面へ空気を吹き付けるノズルと、円筒穴の深さ方向に回転軸を有し、ノズルが挿入され、ノズルから円筒穴の内側表面へ吹き付けた空気の反作用でノズルと共に回転する回転手段と、ノズルの先端を、回転軸から所定の距離に、かつ円筒穴の内側表面に対して所定の角度に保持する保持手段と、ノズルを円筒穴の深さ方向に移動させる移動手段と、ノズルへ供給される空気の流量を制御する制御手段とを備え、保持手段により、円筒穴の大きさに応じて、ノズルの先端の回転軸からの距離を変更し、円筒穴の内側表面の近傍から円筒穴の内側表面へ所定の角度で斜めに空気を吹き付けるものである。
【０００８】
例えばビニールチューブ等の柔軟性を有するチューブでノズルを構成し、保持手段により、円筒穴の大きさに応じて、ノズルの先端の回転軸からの距離を変更する。これにより、様々な大きさの円筒穴に対して、円筒穴の内側表面の近傍から円筒穴の内側表面へ所定の角度で斜めに空気を吹き付けることが可能となる。
【０００９】
さらに、本発明のエアブロワは、保持手段に、ノズルの先端の回転軸からの距離を調節するための目盛を設けるものである。この目盛を用いることにより、ノズルの先端の回転軸からの距離の調節が容易となる。
【００１０】
本発明の円筒穴の内側表面の清掃方法は、上記のいずれかのエアブロワを用いて、円筒穴の内側表面をエアブローするものである。
【発明の効果】
【００１１】
本発明のエアブロワによれば、柔軟性を有するチューブでノズルを構成し、保持手段により、円筒穴の大きさに応じて、ノズルの先端の回転軸からの距離を変更することにより、様々な大きさの円筒穴に対して、円筒穴の内側表面の近傍から円筒穴の内側表面へ所定の角度で斜めに空気を吹き付けることが可能となる。従って、１つのノズルを用いて、異なる大きさの円筒穴を清掃することができる。
【００１２】
さらに、本発明のエアブロワによれば、保持手段に、ノズルの先端の回転軸からの距離を調節するための目盛を設けることにより、円筒穴の大きさに応じて、ノズルの先端の回転軸からの距離を容易に調節することができる。
【００１３】
本発明の円筒穴の内側表面の清掃方法によれば、１つのノズルを用いて、異なる大きさの円筒穴を清掃することができるので、ノズルを交換する手間を省き、簡単な調整で異なる大きさの円筒穴の清掃に対応することができる。
【発明を実施するための最良の形態】
【００１４】
図１は、本発明の一実施の形態によるエアブロワの一部断面側面図である。エアブロワは、流量制御バルブ１０、供給パイプ２１、継手２２、カバー２３、ケーシング２４、回転パイプ２５、ベアリング２６、リング２８、ガイド２９、ノズル３０、保持金具４０、ちょうボルト４１、及び移動機構５０を含んで構成されている。
【００１５】
圧搾空気が、図示しないエアポンプから、流量制御バルブ１０、供給パイプ２１及び継手２２を通って、カバー２３へ供給される。カバー２３の内部には、圧搾空気が通る空気通路２３ａが設けられており、空気通路２３ａは、カバー２３の下端付近で狭くなっている。カバー２３の下面には、空気通路２３ａの内壁の一部を突き出した突き出し部２３ｂが設けられている。
【００１６】
カバー２３の下面には、ケーシング２４が接続されている。ケーシング２４は中空になっており、内部には回転パイプ２５が２つのベアリング２６により回転可能に支持されている。回転パイプ２５の上端には、回転パイプ２５が回転するための隙間を持って、カバー２３の突き出し部２３ｂが挿入されている。回転パイプ２５の外側には、回転パイプ２５がケーシング２４の内部で上下方向に移動するのを規制するために、リング２８が取り付けられている。
【００１７】
回転パイプ２５には、ガイド２９が接続されている。ガイド２９は、筒状で、側面に開口を有する。ノズル３０は、例えばビニールチューブ等の柔軟性を有するチューブで構成され、ガイド２９の側面の開口からガイド２９の内部を通って、回転パイプ２５の内部へ挿入されている。
【００１８】
ガイド２９の下面には、ちょうボルト４１により保持金具４０が取り付けられている。図２は、保持金具の外観図である。保持金具４０には、２つの爪４０ａ、長穴４０ｂ、及び目盛４０ｃが設けられている。保持金具４０は、２つ爪４０ａにより、ノズル３０の先端３０ａを両側から挟んで保持する。
【００１９】
カバー２３へ供給された圧搾空気は、空気通路２３ａから回転パイプ２５を通ってノズル３０へ供給され、ノズル３０の先端３０ａから吹き出される。また、カバー２３にはエアシリンダ等に連結された移動機構５０が取り付けられており、移動機構５０は、カバー２３及びそれに接続されたケーシング２４を上下させることにより、ノズル３０を図面縦方向に移動させる。
【００２０】
図３は、円筒穴の内側表面の清掃方法を示す下面図である。清掃作業を開始する前に、まず、保持金具４０により、円筒穴の大きさに応じて、ノズル３０の先端３０ａの回転軸からの距離Ｌを調節する。ちょうボルト４１をゆるめ、保持金具４０をガイド２９の下面に設けた案内溝に沿ってスライドさせて、ノズル３０の先端３０ａが円筒穴の内側表面１の近傍に位置する様に、ノズル３０の先端３０ａの回転軸からの距離Ｌを調節する。このとき、保持金具４０に設けられた目盛４０ｃを参考にすると、ノズル３０の先端３０ａの回転軸からの距離Ｌの調節が容易となる。調節後、ちょうボルト４１を再び締めて、保持金具４０をガイド２９に固定する。
【００２１】
清掃作業では、エアシリンダ等により移動機構５０を駆動して、円筒穴の上方からノズル３０を円筒穴に挿入する。回転パイプ２５の回転軸は、円筒穴の深さ方向（図３の図面奥行き方向）に位置する。保持金具４０は、ノズル３０の先端３０ａを、回転軸から所定の距離に、かつ円筒穴の内側表面１に対して所定の角度に保持する。
【００２２】
ノズル３０へ圧搾空気を供給すると、ノズル３０は、その先端３０ａから円筒穴の内側表面１へ所定の角度で斜めに空気を吹き付ける。このとき、ノズル３０は吹き付けた空気の反作用を受け、これにより回転パイプ２５は、ノズル３０と共に矢印で示す方向へ高速で回転する。流量制御バルブ１０を用いてノズル３０へ供給される空気の流量を制御して、ノズル３０から吹き付けられる空気の圧力及びノズル３０の回転速度を調整する。ノズル３０を回転させながら、移動機構５０を駆動してノズル３０を円筒穴の深さ方向に移動させることにより、円筒穴の内側表面１全体のエアブローを行う。
【００２３】
次に、異なる大きさの円筒穴の清掃を行う場合について説明する。本実施の形態では、保持金具４０により、円筒穴の大きさに応じて、ノズル３０の先端３０ａの回転軸からの距離Ｌを変更する。図４は、ノズルの先端の回転軸からの距離を変更したエアブロワの一部断面側面図である。また、図５は、図２と異なる大きさの円筒穴の内側表面の清掃方法を示す下面図である。
【００２４】
ちょうボルト４１をゆるめ、保持金具４０をガイド２９の下面に設けた案内溝に沿ってスライドさせて、ノズル３０の先端３０ａが円筒穴の内側表面１の近傍に位置する様に、ノズル３０の先端３０ａの回転軸からの距離Ｌを変更する。このとき、保持金具４０に設けられた目盛４０ｃを参考にすると、ノズル３０の先端３０ａの回転軸からの距離Ｌの調節が容易となる。調節後、ちょうボルト４１を再び締めて、保持金具４０をガイド２９に固定する。
【００２５】
清掃作業は、図２の場合と同様であるが、流量制御バルブ１０を用いてノズル３０へ供給される空気の流量を制御し、円筒穴の大きさに応じて、ノズル３０から吹き付けられる空気の圧力及びノズル３０の回転速度を適宜変更する。
【００２６】
以上説明した実施の形態によれば、柔軟性を有するチューブでノズル３０を構成し、保持金具４０により、円筒穴の大きさに応じて、ノズル３０の先端３０ａの回転軸からの距離Ｌを変更することにより、様々な大きさの円筒穴に対して、円筒穴の内側表面１の近傍から円筒穴の内側表面１へ所定の角度で斜めに空気を吹き付けることが可能となる。従って、１つのノズル３０を用いて、異なる大きさの円筒穴を清掃することができる。
【００２７】
さらに、保持金具４０に、ノズル３０の先端３０ａの回転軸からの距離Ｌを調節するための目盛４０ｃを設けることにより、円筒穴の大きさに応じて、ノズル３０の先端３０ａの回転軸からの距離Ｌを容易に調節することができる。
【００２８】
本発明の円筒穴の内側表面の清掃方法によれば、１つのノズルを用いて、異なる大きさの円筒穴を清掃することができるので、ノズルを交換する手間を省き、簡単な調整で異なる大きさの円筒穴の清掃に対応することができる。
【図面の簡単な説明】
【００２９】
【図１】本発明の一実施の形態によるエアブロワの一部断面側面図である。
【図２】保持金具の外観図である。
【図３】円筒穴の内側表面の清掃方法を示す下面図である。
【図４】ノズルの先端の回転軸からの距離を変更したエアブロワの一部断面側面図である。
【図５】図２と異なる大きさの円筒穴の内側表面の清掃方法を示す下面図である。
【符号の説明】
【００３０】
１  円筒穴の内側表面
１０  流量制御バルブ
２１  供給パイプ
２２  継手
２３  カバー
２４  ケーシング
２５  回転パイプ
２６  ベアリング
２８  リング
２９  ガイド
３０  ノズル
４０  保持金具
４１  ちょうボルト
５０  移動機構
【図１】
2007196236.tif 000003
【図２】
2007196236.tif 000004
【図３】
2007196236.tif 000005
【図４】
2007196236.tif 000006
【図５】
2007196236.tif 000007